(57)【要約】【課題】コンテンツを再生中に、再生中のコンテンツを含むソースと異なるソースに含まれるコンテンツを表示すること。【解決手段】取得部１０２によって、出力中のコンテンツと同一のソースおよび他のソースに含まれるコンテンツに関する情報を取得する。そして、出力部１０１を制御して、出力中のコンテンツの出力を継続させながら、取得されたコンテンツに関する情報を出力する。つぎに、選択部１０４によって利用者によるコンテンツの選択を受け付けて、受け付けられたコンテンツが出力中のコンテンツを含むソースに含まれないと判断部１０５によって判断された場合、制御部１０３によって、出力部１０１を制御して、出力中のコンテンツを含むソースを選択部１０４によって受け付けられたコンテンツを含むソースに変更して、選択部１０４によって受け付けられたコンテンツを出力する。【選択図】図１
2010170613.tif 000002
【特許請求の範囲】
【請求項１】
複数のソースを有し、選択されたソースに含まれるコンテンツを出力部に出力するコンテンツ出力装置において、
出力中のコンテンツと同一のソースおよび他のソースに含まれるコンテンツに関する情報を取得する取得手段と、
前記出力部を制御して、前記出力中のコンテンツの出力を継続させながら、前記取得手段によって取得された前記コンテンツに関する情報を出力する制御手段と、
を備えることを特徴とするコンテンツ出力装置。
【請求項２】
前記制御手段は、前記出力部を制御して、前記取得手段によって取得された前記コンテンツに関する情報を、各ソース毎に一覧として表示することを特徴とする請求項１に記載のコンテンツ出力装置。
【請求項３】
前記出力部に出力された前記コンテンツに関する情報の中から、前記出力中のコンテンツの出力を継続させながら、利用者によるコンテンツの選択を受け付け可能とする選択手段と、
前記選択手段によって受け付けられた前記コンテンツが前記出力中のコンテンツを含むソースと異なるソースに含まれるか否かを判断する判断手段と、
をさらに備え、
前記制御手段は、前記判断手段によって前記出力中のコンテンツを含むソースと異なるソースに含まれると判断された場合、前記出力部を制御して、前記出力中のコンテンツを含むソースを前記選択手段によって受け付けられたコンテンツを含むソースに変更して、当該受け付けられたコンテンツを出力すること特徴とする請求項１または２に記載のコンテンツ出力装置。
【請求項４】
前記制御手段は、前記判断手段によって前記出力中のコンテンツを含むソースと同一のソースに含まれると判断された場合、前記出力部を制御して、前記出力中のコンテンツを含むソースを変更せずに、前記受け付けられたコンテンツを出力することを特徴とする請求項３に記載のコンテンツ出力装置。
【請求項５】
前記取得手段は、音声情報のみのコンテンツを含むソースと、音声情報および映像情報が関連付けられたコンテンツを含むソースと、に含まれる前記コンテンツに関する情報をともに取得することを特徴とする請求項１〜４のいずれか一つに記載のコンテンツ出力装置。
【請求項６】
前記制御手段は、前記利用者によって指定されたソースに含まれる前記コンテンツに関する情報のみを出力することを特徴とする請求項１〜５のいずれか一つに記載のコンテンツ出力装置。
【請求項７】
複数のソースを有し、選択されたソースに含まれるコンテンツを出力部に出力するコンテンツ出力装置におけるコンテンツ出力方法において、
出力中のコンテンツと同一のソースおよび他のソースに含まれるコンテンツに関する情報を取得する取得工程と、
前記出力部を制御して、前記出力中のコンテンツの出力を継続させながら、前記取得工程によって取得された前記コンテンツに関する情報を出力する制御工程と、
を含むことを特徴とするコンテンツ出力方法。
【請求項８】
請求項７に記載のコンテンツ出力方法をコンピュータに実行させることを特徴とするコンテンツ出力プログラム。
【請求項９】
請求項８に記載のコンテンツ出力プログラムを記録したことを特徴とするコンピュータに読み取り可能な記録媒体。
【発明の詳細な説明】
【技術分野】
【０００１】
この発明は、コンテンツを出力中に、出力中のコンテンツを含むソースとは異なるソースに含まれるコンテンツの出力指示を受け付けるコンテンツ出力装置、コンテンツ出力方法、コンテンツ出力プログラムおよび記録媒体に関する。ただし、この発明の利用は、上述したコンテンツ出力装置、コンテンツ出力方法、コンテンツ出力プログラムおよび記録媒体には限られない。
【背景技術】
【０００２】
従来、再生対象となる楽曲群を論理的に分け、それぞれを異なるソース（仮想ディスク）として管理するためのソース管理情報と、ソース単位に再生される楽曲が中断された際の状況を示す中断時情報を記憶する再生管理情報とが記憶されたオーディオ装置が提案されている（たとえば、下記特許文献１参照。）。このオーディオ装置は、利用者の操作によって任意のソースが指定され、そのソースの再生が指示されると、ソース管理情報を参照し、ディスクの再生を制御する。すなわち、ソースの楽曲群を、対象のディスクから順番に再生する。ここで、ソースの再生が中断されると、再生管理情報に中断時情報がセットされる。そして、再びそのソースが再生される際には、この中断時情報にしたがって、中断した楽曲から再生が再開される。
【先行技術文献】
【特許文献】
【０００３】
【特許文献１】特開２００７−２８０５４４号公報
【発明の概要】
【発明が解決しようとする課題】
【０００４】
しかしながら、上述の特許文献１の技術では、複数のソースを有するオーディオ装置において、利用者が所望のソースを選択することで、前回そのソースを再生した際に中断した楽曲から再生を始める。そして、たとえばそのソースに利用者が所望する楽曲が含まれていない場合など、他のソースに含まれる楽曲を聞きたい場合は、楽曲の再生を中断してから、再度他のソースを選択しなければならないため煩わしいという問題がある。また、他のソースに含まれる楽曲を再生したい場合、楽曲の再生が中断されてしまい、他のソースの再生が開始されるまで、無音の状態が続くため、利用者が楽曲を聞くことができない期間が生じるという問題がある。
【課題を解決するための手段】
【０００５】
上述した課題を解決し、目的を達成するため、請求項１の発明にかかるコンテンツ出力装置は、複数のソースを有し、選択されたソースに含まれるコンテンツを出力部に出力するコンテンツ出力装置において、出力中のコンテンツと同一のソースおよび他のソースに含まれるコンテンツに関する情報を取得する取得手段と、前記出力部を制御して、前記出力中のコンテンツの出力を継続させながら、前記取得手段によって取得された前記コンテンツに関する情報を出力する制御手段と、を備えることを特徴とする。
【０００６】
また、請求項７の発明にかかるコンテンツ出力方法は、複数のソースを有し、選択されたソースに含まれるコンテンツを出力部に出力するコンテンツ出力装置におけるコンテンツ出力方法において、出力中のコンテンツと同一のソースおよび他のソースに含まれるコンテンツに関する情報を取得する取得工程と、前記出力部を制御して、前記出力中のコンテンツの出力を継続させながら、前記取得工程によって取得された前記コンテンツに関する情報を出力する制御工程と、を含むことを特徴とする。
【０００７】
また、請求項８の発明にかかるコンテンツ出力プログラムは、請求項７に記載のコンテンツ出力方法をコンピュータに実行させることを特徴とする。
【０００８】
また、請求項９の発明にかかる記録媒体は、請求項８に記載のコンテンツ出力プログラムをコンピュータに読み取り可能な状態で記録したことを特徴とする。
【図面の簡単な説明】
【０００９】
【図１】本実施の形態にかかるコンテンツ出力装置の機能的構成を示すブロック図である。
【図２】コンテンツ出力装置のコンテンツ出力処理手順を示すフローチャートである。
【図３】本実施例にかかるオーディオ装置のハードウェア構成を示すブロック図である。
【図４】オーディオ装置の処理の内容を示すフローチャートである。
【図５】コンテンツに関する情報の一覧の表示内容の一例について示す説明図である。
【図６】コンテンツに関する情報の一覧の表示内容の一例について示す説明図である。
【発明を実施するための形態】
【００１０】
以下に添付図面を参照して、この発明にかかるコンテンツ出力装置、コンテンツ出力方法、コンテンツ出力プログラムおよび記録媒体の好適な実施の形態を詳細に説明する。
【００１１】
（実施の形態）
（コンテンツ出力装置の機能的構成）
まず、この発明の実施の形態にかかるコンテンツ出力装置１００の機能的構成について説明する。図１は、実施の形態にかかるコンテンツ出力装置の機能的構成を示すブロック図である。
【００１２】
図１において、コンテンツ出力装置１００は、出力部１０１と、取得部１０２と、制御部１０３と、選択部１０４と、判断部１０５と、を備えている。コンテンツ出力装置１００は、複数のソースを有し、選択されたソースに含まれるコンテンツを出力部１０１に出力する。出力部１０１は、コンテンツを出力するスピーカや表示画面を備えている。
【００１３】
ここで、ソースは、具体的には、たとえばＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、ＭＳＶ（ミュージックサーバ）、ＶＳＶ（ビデオサーバ）、テレビ放送、ラジオ放送、ポータブルオーディオ機器などである。また、コンテンツは、たとえば各ソースに含まれている個々のデータである。コンテンツには、たとえば音楽などの音声情報のみのものと、映画やドラマなどの音声情報および映像情報が関連付けられたものがある。また、コンテンツは、映像情報のみのものでもよい。
【００１４】
取得部１０２は、出力中のコンテンツと同一のソースおよび他のソースに含まれるコンテンツに関する情報を取得する。また、取得部１０２は、音声情報のみのコンテンツを含むソースと、音声情報および映像情報が関連付けられたコンテンツを含むソースと、に含まれるコンテンツに関する情報をともに取得する。ここで、コンテンツに関する情報は、たとえばコンテンツが楽曲情報の場合、アーティスト名、アルバム名、タイトル名、ジャンル名などである。また、コンテンツが映画などの場合、監督名、役者名、タイトル名、ジャンル名などである。さらに、コンテンツがテレビ放送やラジオ放送の場合、テレビ番組やラジオ番組の番組表である。
【００１５】
制御部１０３は、出力部１０１を制御して、出力中のコンテンツの出力を継続させながら、取得部１０２によって取得されたコンテンツに関する情報を出力する。制御部１０３は、出力部１０１を制御して、取得部１０２によって取得されたコンテンツに関する情報を、各ソース毎に一覧として表示する。制御部１０３は、出力部１０１を制御して、利用者によって指定されたソースに含まれるコンテンツに関する情報のみを出力する。具体的には、たとえば利用者の操作によるカーソルの示すソースに含まれるコンテンツに関する情報をポップアップなどで表示してもよい。また、コンテンツに関する情報の一覧が表示領域に入りきらない場合は、利用者の操作によってスクロールさせることで表示領域に入っていなかったコンテンツに関する情報を表示させてもよい。
【００１６】
選択部１０４は、出力部１０１に出力されたコンテンツに関する情報の中から、出力中のコンテンツの出力を継続させながら、利用者によるコンテンツの選択を受け付け可能とする。また、選択部１０４は、出力部１０１に出力されたコンテンツに関する情報の中から、出力中のコンテンツの出力を継続させながら、利用者によるコンテンツの出力順の選択を受け付け可能としてもよい。すなわち、利用者からコンテンツの再生リストを受け付けてもよい。この場合、制御部１０３は、再生リストにしたがって、各コンテンツを出力する毎に、そのコンテンツを含むソースに変更して、各コンテンツを出力する。
【００１７】
判断部１０５は、選択部１０４によって受け付けられたコンテンツが出力中のコンテンツを含むソースと異なるソースに含まれるか否かを判断する。そして、制御部１０３は、判断部１０５によって出力中のコンテンツを含むソースと異なるソースに含まれると判断された場合、出力部１０１を制御して、出力中のコンテンツを含むソースを選択部１０４によって受け付けられたコンテンツを含むソースに変更して、選択部１０４によって受け付けられたコンテンツを出力する。また、制御部１０３は、選択部１０４によって受け付けられたコンテンツが、判断部１０５によって出力中のコンテンツを含むソースと同一のソースに含まれると判断された場合、出力部１０１を制御して、出力中のコンテンツを含むソースを変更せずに、選択部１０４によって受け付けられたコンテンツを出力する。
【００１８】
（コンテンツ出力装置のコンテンツ出力処理手順）
つぎに、コンテンツ出力装置１００のコンテンツ出力処理手順について説明する。図２は、コンテンツ出力装置のコンテンツ出力処理手順を示すフローチャートである。図２のフローチャートにおいて、まず、コンテンツを出力中と判断されるまで待機する（ステップＳ２０１：Ｎｏのループ）。ステップＳ２０１においてコンテンツを出力中であると判断された場合（ステップＳ２０１：Ｙｅｓ）、取得部１０２によってステップＳ２０１において判断された出力中のコンテンツと同一のソースおよび他のソースに含まれるコンテンツに関する情報を取得する（ステップＳ２０２）。そして、出力部１０１を制御して、出力中のコンテンツの出力を継続させながら、ステップＳ２０２において取得されたコンテンツに関する情報を出力する（ステップＳ２０３）。
【００１９】
つぎに、ステップＳ２０３において出力されたコンテンツに関する情報の中から、出力中のコンテンツの出力を継続させながら、選択部１０４によって利用者によるコンテンツの選択を受け付けるまで待機する（ステップＳ２０４：Ｎｏのループ）。ステップＳ２０４において利用者によるコンテンツの選択を受け付けた場合（ステップＳ２０４：Ｙｅｓ）、判断部１０５によって、ステップＳ２０４において選択部１０４によって受け付けられたコンテンツが出力中のコンテンツを含むソースと異なるソースに含まれるか否かを判断する（ステップＳ２０５）。
【００２０】
ステップＳ２０５において、選択部１０４によって受け付けられたコンテンツが出力中のコンテンツを含むソースと異なるソースに含まれると判断された場合（ステップＳ２０５：Ｙｅｓ）、制御部１０３によって、出力部１０１を制御して、出力中のコンテンツを含むソースを選択部１０４によって受け付けられたコンテンツを含むソースに変更して、選択部１０４によって受け付けられたコンテンツを出力して（ステップＳ２０６）、一連の処理を終了する。
【００２１】
一方、ステップＳ２０５において、選択部１０４によって受け付けられたコンテンツが出力中のコンテンツを含むソースと異なるソースに含まれないと判断された場合（ステップＳ２０５：Ｙｅｓ）、制御部１０３によって、出力部１０１を制御して、出力中のコンテンツを含むソースを変更せずに、選択部１０４によって受け付けられたコンテンツを出力して（ステップＳ２０７）、一連の処理を終了する。
【００２２】
なお、図２のフローチャートにおいては、ステップＳ２０３においてコンテンツに関する情報を出力する際に、このコンテンツに関する情報の一覧を表示してもよい。さらに、図２のフローチャートにおいては、ステップＳ２０３の前に、利用者によって一のソースが選択されたか否かを判断して、一のソースが選択された場合、このソースに含まれるコンテンツに関する情報のみを出力するようにしてもよい。
【００２３】
また、図２のフローチャートにおいては、ステップＳ２０４：Ｎｏのループにおいて利用者によるコンテンツの選択を受け付けるまで待機するとしているが、これに限るものではない。具体的には、たとえば利用者によるコンテンツの選択を受け付けず、所定時間経った場合、そのまま一連の処理を終了させてもよい。
【００２４】
さらに、ステップＳ２０４：Ｎｏのループにおいては、たとえば選択部１０４によって利用者によるソースの選択を受け付けるまで待機してもよい。そして、利用者によるソースの選択を受け付けた場合、制御部１０３によって、出力部１０１を制御して、出力中のコンテンツを含むソースを選択部１０４によって受け付けられたソースに変更して、このソースの最初のコンテンツまたは前回このソースを再生した際に中断したコンテンツを出力するようにしてもよい。
【００２５】
上述したように、本実施の形態のコンテンツ出力装置１００によれば、取得部１０２によって出力中のコンテンツと同一のソースおよび他のソースに含まれるコンテンツに関する情報を取得し、制御部１０３によって出力部１０１を制御して、出力中のコンテンツの出力を継続させながら、取得部１０２によって取得されたコンテンツに関する情報を出力することができる。したがって、コンテンツの出力を継続させながら、他のソースに含まれるコンテンツに関する情報を出力することができる。これによって、利用者は、たとえばＣＤなどの任意のソースのコンテンツを聞いているときに、ＭＳＶやＤＶＤなどの他のソースに含まれるコンテンツを確認することができる。このため、利用者は、再生中以外の他のソースに含まれるコンテンツを確認するときに、コンテンツの再生を中断させることなく確認することができるため、コンテンツの操作に煩わしさを感じることを防ぐことができる。
【００２６】
また、本実施の形態のコンテンツ出力装置１００によれば、制御部１０３によって、出力部１０１を制御して、取得部１０２によって取得されたコンテンツに関する情報を、各ソース毎に一覧として表示することができる。これによって、利用者は、どのソースにどのコンテンツが含まれているかを、簡単に確認することができる。
【００２７】
また、本実施の形態のコンテンツ出力装置１００によれば、選択部１０４によって出力部１０１に出力されたコンテンツに関する情報の中から、出力中のコンテンツの出力を継続させながら、利用者によるコンテンツの選択を受け付けて、受け付けられたコンテンツが出力中のコンテンツを含むソースと異なるソースに含まれるか否かを判断部１０５によって判断することができる。そして、選択部１０４によって受け付けられたコンテンツが出力中のコンテンツを含むソースと異なるソースに含まれると判断部１０５によって判断された場合、制御部１０３によって、出力部１０１を制御して、出力中のコンテンツを含むソースを選択部１０４によって受け付けられたコンテンツを含むソースに変更して、選択部１０４によって受け付けられたコンテンツを出力することができる。
【００２８】
また、本実施の形態のコンテンツ出力装置１００によれば、選択部１０４によって受け付けられたコンテンツが出力中のコンテンツを含むソースと同一のソースに含まれると判断部１０５によって判断された場合、制御部１０３によって、出力部１０１を制御して、出力中のコンテンツを含むソースを変更せずに、選択部１０４によって受け付けられたコンテンツを出力することができる。
【００２９】
したがって、再生中のコンテンツから、他のソースに含まれるコンテンツに変更する際に、コンテンツを再生しない期間を生じさせないことができる。これによって、利用者は、コンテンツの変更をする際に、常に何らかのコンテンツを再生させておくことができるため、コンテンツを十分に楽しむことができる。
【００３０】
また、本実施の形態のコンテンツ出力装置１００によれば、取得部１０２によって、音声情報のみのコンテンツを含むソースと、音声情報および映像情報が関連付けられたコンテンツを含むソースと、に含まれるコンテンツに関する情報をともに取得することができる。これによって、利用者は、たとえば再生中のコンテンツと、他のソースに含まれるコンテンツの種類が異なっていても、他のソースに含まれるコンテンツの情報を確認することができる。このように、音楽が聞けて、映画などの映像を見ることのできる機器にも適用することができる。
【００３１】
また、本実施の形態のコンテンツ出力装置１００によれば、制御部１０３によって、出力部１０１を制御して、利用者によって指定されたソースに含まれるコンテンツに関する情報のみを出力することができる。これによって、利用者は、表示画面内の表示を煩雑にさせず、自身の所望する情報のみを効率よく確認することができる。
【実施例】
【００３２】
以下に、本発明の実施例について説明する。本実施例では、たとえば、車両（四輪車、二輪車を含む）などの移動体に搭載されるオーディオ装置によって、本発明のコンテンツ出力装置を実施した場合の一例について説明する。
【００３３】
（オーディオ装置のハードウェア構成）
つぎに、本実施例にかかるオーディオ装置３００のハードウェア構成について説明する。図３は、本実施例にかかるオーディオ装置のハードウェア構成を示すブロック図である。図３において、オーディオ装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、放送受信機３１４と、を備えている。各構成部３０１〜３１４は、バス３２０によってそれぞれ接続されている。
【００３４】
まず、ＣＰＵ３０１は、オーディオ装置３００の全体の制御を司る。ＲＯＭ３０２は、ブートプログラム、データ更新プログラム、ソース変更プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、オーディオ装置３００の全体の制御を司る。
【００３５】
ソース変更プログラムは、ソースを選択したい旨を示すソース選択キーなどが利用者によって押下された場合に、オーディオ装置３００の有する複数のソースを示すアイコンや各ソースに含まれるコンテンツに関する情報をディスプレイ３１２に表示させる。そして、ディスプレイ３１２に表示されたコンテンツに関する情報の中から利用者によって一のコンテンツが選択された場合、一のコンテンツを含むソースが再生中のコンテンツを含むソースに含まれているか否かを判断し、再生中のコンテンツを含むソースに含まれていないと判断された場合、ソースを変更して一のコンテンツを出力させる。
【００３６】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００３７】
磁気ディスク３０５は、音声情報のみのコンテンツを含むＭＳＶ（ミュージックサーバ）や、音声情報と映像情報とが関連付けられたコンテンツを含むＶＳＶ（ビデオサーバ）などの機能を果たす。そして、各コンテンツに含まれる音声情報は、音声Ｉ／Ｆ３０８を介してスピーカ３０９から出力され、各コンテンツに含まれる映像情報は、映像Ｉ／Ｆ３１１を介してディスプレイ３１２から出力される。
【００３８】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどであってもよい。
【００３９】
光ディスク３０７は、具体的にはＤＶＤやＣＤなどである。光ディスク３０７には、音声情報のみのコンテンツや音声情報と映像情報とが関連付けられたコンテンツなどが記録されている。
【００４０】
なお、オーディオ装置３００は、図示を省略するが、フラッシュメモリを備えていてもよい。フラッシュメモリは、書き換え自在な不揮発性半導体メモリであり、ＣＰＵ３０１の制御にしたがってデータの読み取り／書き込みをおこなう。フラッシュメモリには、たとえば、ＮＡＮＤ型フラッシュメモリやＮＯＲ型フラッシュメモリなどを用いることができる。フラッシュメモリに記録される情報の一例としては、上述した映像情報や音声情報などが挙げられる。また、フラッシュメモリは、ＲＯＭ３０２としての機能を有していてもよい。すなわち、フラッシュメモリは、上述の各プログラムを記録していてもよい。
【００４１】
音声Ｉ／Ｆ３０８は、音声出力用のスピーカ３０９に接続される。スピーカ３０９からは、所定の音声信号を音声Ｉ／Ｆ３０８内でＤ／Ａ変換した音声が出力される。
【００４２】
入力デバイス３１０は、文字、数値、各種指示などの入力のための複数のキーを備えたリモコン、キーボード、タッチパネルなどが挙げられる。入力デバイス３１０は、リモコン、キーボード、タッチパネルのうちいずれか一つの形態によって実現されてもよいが、複数の形態によって実現することも可能である。
【００４３】
映像Ｉ／Ｆ３１１は、ディスプレイ３１２に接続される。映像Ｉ／Ｆ３１１は、具体的には、たとえば、ディスプレイ３１２全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１２を制御する制御ＩＣなどによって構成される。
【００４４】
ディスプレイ３１２には、アイコン、メニュー、ウインドウ、あるいは文字や画像などの各種データが表示される。ディスプレイ３１２には、オーディオ装置３００の有する複数のソースを示すアイコンが、２次元または３次元に描画される。また、ディスプレイ３１２には、磁気ディスク３０５や光ディスク３０７に記録されたコンテンツに含まれる映像情報が出力される。さらに、音声情報のみのコンテンツを再生する場合、ディスプレイ３１２には、再生中のコンテンツに関する情報や再生状況などが出力されてもよい。また、ディスプレイ３１２には、入力デバイス３１０に操作により移動するカーソルが重畳して表示されてもよい。そして、このカーソルの位置がアイコン、メニューなどの上になったときに、それぞれのアイコンやメニューに対応する処理を実行する旨の入力がなされてもよい。
【００４５】
ディスプレイ３１２としては、たとえば、ＣＲＴ、ＴＦＴ液晶ディスプレイ、プラズマディスプレイなどを用いることができる。ディスプレイ３１２は、たとえば、車両のダッシュボード付近に設置される。ディスプレイ３１２は、車両のダッシュボード付近のほか、車両の後部座席周辺などに設置するなどして、車両において複数設置されていてもよい。
【００４６】
通信Ｉ／Ｆ３１３は、無線を介してネットワークに接続され、オーディオ装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。通信Ｉ／Ｆ３１３は、有線または無線を介して、利用者などが所有するポータブルオーディオ装置に接続され、このポータブルオーディオ装置とコンテンツなどの情報の送受信をしてもよい。
【００４７】
放送受信機３１４は、テレビ放送波やラジオ放送波を受信する。放送受信機３１４は、放送局からのテレビ放送波やラジオ放送波を受信するアンテナ部、選局された番組のテレビ放送波やラジオ放送波をアンテナ部から受信し、デジタル信号に変換するチューナー部、チューナー部により変換されたデジタル信号を映像情報や音声情報に分離するデコード部などを備えている。
【００４８】
図１に示したコンテンツ出力装置１００が備える出力部１０１、取得部１０２、制御部１０３、選択部１０４、判断部１０５は、図３に示したオーディオ装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、オーディオ装置３００における各部を制御することによってその機能を実現する。
【００４９】
すなわち、実施例のオーディオ装置３００は、オーディオ装置３００における記録媒体としてのＲＯＭ３０２に記録されているコンテンツ出力プログラムを実行することにより、図１に示したコンテンツ出力装置１００が備える機能を、図２に示したコンテンツ出力処理手順で実行することができる。
【００５０】
（オーディオ装置の処理の内容）
つぎに、オーディオ装置３００の処理の内容について説明する。図４は、オーディオ装置の処理の内容を示すフローチャートである。図４のフローチャートにおいて、まず、ソース選択キーが押下されたと判断されるまで待機する（ステップＳ４０１：Ｎｏのループ）。ここで、ソース選択キーは、オーディオ装置３００の有する複数のソースのうち、再生させるソースを選択したいか否かの指示を利用者から受け付けるためのキーである。ステップＳ４０１においてソース選択キーが押下されたと判断された場合（ステップＳ４０１：Ｙｅｓ）、ディスプレイ３１２にソース選択画面を表示する（ステップＳ４０２）。ここで、ソース選択画面は、オーディオ装置３００の有する複数のソースが表示され、利用者からのソースの選択を受け付けるための画面である。
【００５１】
つぎに、ステップＳ４０２において表示されたソース画面の中から、一のソースが選択されたか否かを判断する（ステップＳ４０３）。ステップＳ４０３において一のソースが選択されない場合（ステップＳ４０３：Ｎｏ）、ステップＳ４０２に戻り、以降の処理を繰り返しおこなう。一方、ステップＳ４０３において一のソースが選択された場合（ステップＳ４０３：Ｙｅｓ）、一のソースにおいて前回再生していた位置からコンテンツの再生を開始する（ステップＳ４０４）。すなわち、選択されたソースにおいて前回再生していたコンテンツの前回再生を停止した位置から再生を開始する。ここで、再生するコンテンツに映像情報が含まれない場合、コンテンツに関する情報や再生状況を示す再生画面を表示させてもよい。
【００５２】
つぎに、ステップＳ４０４においてコンテンツの再生中に、再度、ソース選択キーが押下されたと判断されるまで待機する（ステップＳ４０５：Ｎｏのループ）。そして、ステップＳ４０５において、再度、ソース選択キーが押下されたと判断された場合（ステップＳ４０５：Ｙｅｓ）、ステップＳ４０４において開始されたコンテンツの再生を継続しながら、再度、ディスプレイ３１２にソース選択画面を表示する（ステップＳ４０６）。
【００５３】
つぎに、表示されたソース選択画面上において、利用者の操作によって移動するカーソルの位置がソースを示すアイコンの上になったと判断されるまで待機する（ステップＳ４０７：Ｎｏのループ）。ステップＳ４０７においてカーソルの位置がソースを示すアイコンの上になったと判断された場合（ステップＳ４０７：Ｙｅｓ）、ディスプレイ３１２に、カーソルが示すソースに含まれるコンテンツに関する情報の一覧を表示する（ステップＳ４０８）。
【００５４】
ステップＳ４０８においては、たとえばコンテンツに関する情報をソース選択画面に重畳して表示してもよい。具体的には、ソース選択画面のカーソルが位置するソースのアイコンの周囲に、そのソースに含まれるコンテンツの一覧を所定の表示範囲で重畳して表示する。さらに、ソースに含まれる全てのコンテンツに関する情報が所定の表示範囲内に表示されない場合、所定の表示範囲内でスクロール表示をおこない、表示されていないコンテンツに関する情報を表示するようにしてもよい。
【００５５】
つぎに、ステップＳ４０８において表示されたコンテンツに関する情報の一覧の中から、一のコンテンツの選択を受け付けたか否かを判断する（ステップＳ４０９）。ステップＳ４０９において一のコンテンツの選択を受け付けたと判断されない場合（ステップＳ４０９：Ｎｏ）、ステップＳ４０７に戻り、以降の処理を繰り返しおこなう。一方、ステップＳ４０９において一のコンテンツの選択を受け付けたと判断された場合（ステップＳ４０９：Ｙｅｓ）、ステップＳ４０９において受け付けられた一のコンテンツが再生中のコンテンツと同一のソースに含まれるか否かを判断する（ステップＳ４１０）。
【００５６】
ステップＳ４１０において一のコンテンツが再生中のコンテンツと同一のソースに含まれないと判断された場合（ステップＳ４１０：Ｎｏ）、再生するソースをステップＳ４０９において受け付けられた一のコンテンツを含むソースに変更する（ステップＳ４１１）。そして、ステップＳ４１１において変更されたソースに含まれる一のコンテンツの再生を開始して（ステップＳ４１２）、一連の処理を終了する。
【００５７】
一方、ステップＳ４１０において一のコンテンツが再生中のコンテンツと同一のソースに含まれると判断された場合（ステップＳ４１０：Ｙｅｓ）、再生中のソースを変更せずに、ステップＳ４１２に進み、再生中のソースと同一のソースに含まれる一のコンテンツを再生して、一連の処理を終了する。
【００５８】
なお、図４のフローチャートにおいては、ステップＳ４０４において前回再生していた位置からコンテンツの再生を開始するとしているが、これに限るものではない。具体的には、たとえば、前回再生していたコンテンツの最初からコンテンツの再生を開始してもよいし、一のソースに含まれる最初のコンテンツからコンテンツの再生を開始してもよい。
【００５９】
また、図４のフローチャートにおいては、ステップＳ４０６においてコンテンツの再生を継続しながら、再度、ソース選択画面を表示するとしているが、たとえばコンテンツに映像情報を含む場合、ソース選択画面の表示を半透明にして、コンテンツに含まれる映像情報を視覚可能に表示してもよい。また、たとえばソース選択画面をディスプレイ３１２の端側に表示して、コンテンツに含まれる映像情報を隠さないようにしてもよい。この場合、コンテンツに含まれる映像情報の表示範囲を通常より小さくしてもよい。
【００６０】
また、図４のフローチャートにおいては、ステップＳ４０９：Ｎｏにおいて一のコンテンツが選択されない場合、ステップＳ４０７に戻るとしているが、これに限るものではない。具体的には、たとえばディスプレイ３１２の表示をコンテンツの再生画面に戻すか否かの指示を受け付ける「戻る」キーなどが押下されたか否かを判断して、「戻る」キーが押下されたと判断された場合、ステップＳ４０５に戻り、ディスプレイ３１２の表示をコンテンツの再生画面に戻してもよい。
【００６１】
（コンテンツに関する情報の一覧の表示内容の一例）
つぎに、図５および図６を用いて、コンテンツに関する情報の一覧の表示内容の一例について説明する。図５および図６は、コンテンツに関する情報の一覧の表示内容の一例について示す説明図である。図５においては、ディスプレイ３１２上に、ソース選択画面５００が表示され、さらに重畳してコンテンツの検索条件に関する情報５１０が表示されている。
【００６２】
図５に示すように、ソース選択画面５００には、オーディオ装置３００の有するソースを示すアイコン５０１と、ソース選択キーを押下する前の表示に戻す、「戻る」キー５０２が表示されている。また、ディスプレイ３１２には、ソース選択画面５００およびコンテンツの検索条件に関する情報５１０に重畳して、利用者の操作によって移動するカーソル５０３が表示されている。また、コンテンツの検索条件に関する情報５１０は、カーソル５０３が位置するソースに含まれるコンテンツの中から、所望のコンテンツを検索する際に用いる情報を利用者に選択させる情報である。
【００６３】
図５に示すように、コンテンツの検索条件に関する情報５１０には、たとえば、カーソル５０３がＭＳＶを示すアイコン上に位置する場合、ＭＳＶに含まれるコンテンツに関する情報の種類が表示される。ＭＳＶに含まれるコンテンツに関する情報の種類としては、たとえば「アーティスト」名、「アルバム」名、「ジャンル」名などが挙げられる。したがって、コンテンツの検索条件に関する情報５１０には、「アーティスト」名、「アルバム」名、「ジャンル」名のうちコンテンツを検索する際に用いる情報の種類の選択を利用者から受け付けるためのキー５１１が表示される。
【００６４】
また、コンテンツの検索条件に関する情報５１０の表示範囲内に、ソースに含まれるコンテンツに関する情報の種類の全てが表示されていない場合、スクロール表示の指示を受け付けるためのキー５１２が表示されていてもよい。この場合、利用者の操作によってカーソル５０３の位置がスクロール表示の指示を受け付けるためのキー５１２上になった場合、コンテンツの検索条件に関する情報５１０の表示範囲内においてスクロール表示をおこない、表示されていなかった情報を表示するようにしてもよい。
【００６５】
つぎに、図６においては、ディスプレイ３１２上に、ソース選択画面５００が表示され、さらに重畳してコンテンツに関する情報の一覧６００が表示されている。図６においては、たとえば図５に示すコンテンツの検索条件に関する情報５１０の中から「アルバム」キー５１１の選択を受け付け、さらにアルバムの中から利用者による一のアルバムの選択を受け付けた場合について説明する。この場合、図６に示すように、一のアルバムに含まれるコンテンツに関する情報の一覧６００が表示される。
【００６６】
コンテンツに関する情報の一覧６００には、たとえばコンテンツ名などのコンテンツを特定可能な情報６０１と、それぞれのコンテンツに対するコンテンツの再生指示を受け付けるキー６０２と、スクロール表示の指示を受け付けるためのキー６０３とが表示される。各コンテンツを特定可能な情報６０１には、コンテンツ名の他に、アーティスト名などを関連付けて表示してもよい。また、たとえばカーソル５０３の位置がコンテンツの再生指示を受け付けるキー６０２上になった場合、カーソル５０３が位置するコンテンツの再生を開始するようにしてもよい。
【００６７】
上述したように、本実施例のオーディオ装置３００によれば、コンテンツを再生中にソース選択キーが押下された場合、コンテンツの再生を継続させながら、ソース選択画面をディスプレイ３１２に表示することができる。そして、利用者の操作によって移動するカーソルの位置がソースを示すアイコンの上になった場合、そのソースに含まれるコンテンツの一覧を表示することができる。これによって、利用者は、コンテンツの再生中に、他のソースに含まれるコンテンツを簡単に効率よく確認することができる。
【００６８】
また、本実施例のオーディオ装置３００によれば、コンテンツを再生中に、他のソースに含まれるコンテンツの再生指示を受け付けた場合、ソースを変更して、再生指示が受け付けられたコンテンツを再生することができる。これによって、利用者は、コンテンツを再生しているときに、他のソースに含まれるコンテンツの再生指示をおこなっても、コンテンツの再生を途切れさせることなく、他のソースに含まれるコンテンツに変更して再生させることができる。
【００６９】
以上説明したように、本発明のコンテンツ出力装置、コンテンツ出力方法、コンテンツ出力プログラムおよび記録媒体によれば、コンテンツを再生中に、再生中のコンテンツを含むソースと異なるソースに含まれるコンテンツを表示することができる。
【００７０】
なお、本実施の形態で説明したコンテンツ出力方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００７１】
１００  コンテンツ出力装置
１０１  出力部
１０２  取得部
１０３  制御部
１０４  選択部
１０５  判断部
【図１】
2010170613.tif 000003
【図２】
2010170613.tif 000004
【図３】
2010170613.tif 000005
【図４】
2010170613.tif 000006
【図５】
2010170613.tif 000007
【図６】
2010170613.tif 000008